(57)【要約】【課題】  合否判定の視認性がよい表示器を備えた動釣合試験機を提供する。【解決手段】  不釣合量、不釣合角度、合否判定結果をそれぞれ独立に設けた発光素子２１〜２６により表示する表示器１８を備えた動釣合試験機１であって、前記表示器１８は、少なくとも不釣合量、不釣合角度を表示するための発光素子に多色表示可能な発光素子２１、２２、２４、２５を用いており、合否結果に基づいて合否判定用の発光素子２３、２６とともに表示色を変えて表示することで、合否判定の視認性を向上する。【選択図】図２
2005091260.tif 000002
【特許請求の範囲】
【請求項１】
供試体を回転することにより取得した不釣合に関する測定データを出力する動釣合試験機本体と、
動釣合試験機本体から出力される測定データに基づいて不釣合量、不釣合角度を算出するとともに不釣合量と不釣合角度の算出結果から試験結果である合否判定を行う演算部と、
不釣合量、不釣合角度、合否判定結果をそれぞれ独立に設けた発光素子により表示する表示器とを備えた動釣合試験機であって、
前記表示器は、少なくとも不釣合量、不釣合角度を表示するための発光素子として多色表示可能な発光素子を用いており、合否結果に基づいて表示色を変えて表示することを特徴とする動釣合試験機。
【請求項２】
動釣合試験機本体は、さらに試験の際の試験パラメータの変動を出力し、演算部は、試験パラメータの変動幅が予め設定された許容範囲であるかに基づいて正常動作か否かを判定し、
表示器は、さらに動釣合試験機の試験パラメータを表示するための多色表示可能な発光素子を有するとともに、正常動作か否かの判定結果に応じて試験パラメータの表示色を変えて表示することを特徴とする請求項１に記載の動釣合試験機。
【発明の詳細な説明】
【技術分野】
【０００１】
本発明は、回転する供試体の不釣合いを測定し、測定結果から供試体の動釣合の合否判定を行うことができる動釣合試験機に関し、さらに詳細には、作業者が供試体を動釣合試験機により次々に計測し、測定結果を専用の表示器に表示するようにして作業者が表示器を見ることにより試験結果の合否判定を知ることができるようにした動釣合試験機に関する。
【背景技術】
【０００２】
回転体の製品を扱う工場等では、製品の動釣合を計測し、釣合がとれている製品を合格品とし、釣合がとれていない製品を不合格品として選別する作業が行われている。
例えば、回転時に軸心が撓むような供試体の不釣合（不釣合量、不釣合角度）を測定結果と演算とにより求めて、表示器に表示することが開示されている（特許文献１）。
【０００３】
このような用途の動釣合試験機では、不釣合量や不釣合角度とともに、試験結果としての合否判定を行い、作業者に知らせるようにしている。その際、試験結果について多彩な出力形態で表示することができるパソコン画面を用いた表示よりも、作業者にできるだけわかりやすく簡潔に表示できるように作られた専用の表示器を用いて試験結果を表示することが好まれている。
【０００４】
また、動釣合試験機に異常があり、正常な試験条件で行われていなければ、本来不合格品であるにもかかわらず試験結果が合格となったり、本来合格品であるにもかかわらず不合格品になったりするおそれがある。例えば、動釣合試験の設定パラメータのひとつである回転数条件が試験中に所定の範囲内に収まっていることが試験条件として定められているにもかかわらず、測定中の実際の回転数がその範囲を超えている場合には適正な合否判定ができていないことになる。
そのため、動釣合試験機は、試験パラメータ値（たとえば回転数）をモニタし、試験結果とともに試験パラメータ値を表示するようにしている。
【特許文献１】特開平７−２１８３７２号公報
【発明の開示】
【発明が解決しようとする課題】
【０００５】
専用の表示器を用いた動釣合試験機では、従来、不釣合量や不釣合角度、合否判定結果の表示用発光素子として、緑色または赤色の７セグメントＬＥＤを用いており、合否判定をわかりやすくするため、不合格を示す「ＮＧ」ランプには赤色ＬＥＤ、合格を示す「ＯＫ」ランプおよび不釣合量、不釣合角度の数値表示用ランプには緑色ＬＥＤを用いていた。
【０００６】
動釣合試験において、試験結果である合格、不合格は作業者にとって最大の関心事であり、一目で確実に判定結果を知りたいものである。
しかしながら、上述したような従来の表示器は、試験結果は、合格・不合格を表示するＬＥＤだけでしか判断できないため、視線を合否判定結果表示用のＬＥＤに近づけて判断する必要があり、直感的に分かりづらい状況であった。
【０００７】
そこで本発明は、作業者にとって視線を合否判定結果表示用ランプに近づける必要もなく、一目で確実に試験結果である合否判定結果を知ることができるようにした動釣合試験機を提供することを目的とする。
また、測定中の試験パラメータ値が、予め設定された正常な範囲内であるかを一目で確実に知ることができるようにした動釣合試験機を提供することを目的とする。
【課題を解決するための手段】
【０００８】
上記課題を解決するためになされた第一の発明の動釣合試験機は、供試体を回転することにより取得した不釣合に関する測定データを出力する動釣合試験機本体と、動釣合試験機本体から出力される測定データに基づいて不釣合量、不釣合角度を算出するとともに不釣合量と不釣合角度の算出結果から試験結果である合否判定を行う演算部と、不釣合量、不釣合角度、合否判定結果をそれぞれ独立に設けた発光素子により表示する表示器とを備えた動釣合試験機であって、前記表示器は、少なくとも不釣合量、不釣合角度を表示するための発光素子として多色表示可能な発光素子を用いており、合否結果に基づいて表示色を変えて表示するようにしている。
【０００９】
この動釣合試験機によれば、動釣合試験機本体が供試体を回転することにより供試体の不釣合に関する測定データを取得し、結果を出力する。演算部は、動釣合試験機本体から出力された測定データに基づいて不釣合量、および不釣合角度を算出し、さらに、算出した不釣合量、不釣合角度からその供試体が合格品であるか不合格品であるかを判定する。
【００１０】
表示器は、算出された不釣合量、不釣合角度、合否判定結果をそれぞれ独立に設けた発光素子により表示するが、このとき合否判定結果を表示する発光素子において合格、不合格を表示するのみならず、不釣合量、不釣合角度の表示を行う多色発光素子においても合格の場合には合格を示す色（例えば緑色）、不合格の場合には不合格を示す色（たとえば赤色）で不釣合量、不釣合角度を表示する。
【００１１】
また、第二の発明の動釣合試験機は、動釣合試験機本体がさらに試験の際の試験パラメータの変動を出力し、演算部が試験パラメータの変動幅が予め設定された許容範囲であるかに基づいて正常動作か否かを判定し、表示器がさらに動釣合試験機の試験パラメータ表示するための多色表示可能な発光素子を有するとともに、正常動作か否かの判定結果に応じて試験パラメータの表示色を変えて表示するようにしている。
【００１２】
これによれば、さらに動釣合試験機本体から試験パラメータの変動が出力される。この試験パラメータとしては、単位時間あたりの回転数（ｒｅｖ／ｍｉｎ）が出力されるが、これだけに限られず、他の試験パラメータも出力するようにしてもよい。演算部は試験パラメータの変動が予め設定してある試験パラメータの許容範囲内であるかにより正常動作か否かを判定する。
【００１３】
表示器は、演算部により判定結果に基づいて試験パラメータを表示するための多色表示可能な発光素子に表示するが、そのとき正常動作か否かの判定結果に応じて試験パラメータの表示色を変える。
【発明の効果】
【００１４】
第一の発明によれば、作業者は合否判定を知るために表示器に視線を向けるが、合否判定表示用の表示部分（発光素子）に視線を近づけるまでもなく、表示器の他の表示部分、すなわち、不釣合量を表示する部分や不釣合角度を表示する部分のいずれかに視線が近づけば、合否判定を知ることができるので、判定結果の把握が容易になる。
【００１５】
また、第二の発明によれば、試験パラメータの変動が許容範囲内にあって正常動作で測定された場合と、許容範囲外となって正常動作で測定されなかった場合とにより表示色を変えるようにしたので、正常動作で測定されなかった場合にも判定結果の把握が容易になる。
【発明を実施するための最良の形態】
【００１６】
以下、本発明の動釣合試験機について図面を用いて説明する。
図１は本発明の一実施形態である動釣合試験機の構成を示すブロック図であり、図２は本発明の特徴部分である表示器の表示面を示す図である。
【００１７】
図において、供試体Ｗは、その両端の軸部２、３は、ばね４、５で弾性支持された軸受け６、７により支持されており、供試体Ｗはベルト８を介してモータ９により回転されるようにしてある。
左右の軸受け６、７には、供試体Ｗの不釣合に伴う軸受け６，７の振動を測定するピックアップ（ムービングコイル式振動検出センサ）１０、１１が取り付けられている。
ピックアップ１０、１１により測定されたデータは、増幅部１２、１３を介して演算部１４に取り込まれる。
【００１８】
また、供試体Ｗには回転方向の基準位置を示すマーク１５が形成されており（マークは回転体自体が有する特徴部分でもよいし、人為的に形成したものでもよい）、このマーク１５を検出するための位置センサ１６が、マーク１５に対向するように取り付けられている。位置センサ１６からの検出信号も増幅部１７を介して演算部１４に取り込まれる。
【００１９】
演算部１４は、いわゆるコンピュータにより構成され、各種の演算をするデータ処理部と、ピックアップ１０、１１や位置センサ１６から取得したデータ、さらには、演算に用いるために予め設定しておく試験パラメータ設定値を記憶する記憶部とが含まれる。
また、試験に必要なパラメータを演算部１４にセットするための図示しないキーボードが付設されている。キーボードから設定入力を行うときは、装置のモードを測定モードから設定専用の設定モードに切り替え、キーボードから入力される数値を後述する表示器１８のＬＥＤに表示することにより作業者が確認しながら行う。
【００２０】
また、測定データを演算部１４で処理することにより得られた結果は、表示器１８にて表示される。ここで用いる表示器１８は、パーソナルコンピュータ等の表示画面に用いられるようなＣＲＴや液晶パネルを用いたものではなく、表示面上に７セグメントＬＥＤを使用し、不釣合量、不釣合角度等の各表示内容ごとに専用の７セグメントＬＥＤを配置するようにしたものである。
【００２１】
図２に示すように、表示器１８は左上部、右上部、下部の３つに分かれている。左上部は供試体Ｗの左面側の不釣合の情報を表示する領域であり、不釣合量ランプ２１（ＡＭＯＵＮＴ）、不釣合角度ランプ２２（ＡＮＧＬＥ）、合否判定ランプ２３が配置されている。右上部は供試体Ｗの右面側の不釣合の情報を表示する領域であり、不釣合量ランプ２４（ＡＭＯＵＮＴ）、不釣合角度ランプ２５（ＡＮＧＬＥ）、合否判定ランプ２６が配置されている。
【００２２】
下部は試験パラメータである単位時間当たり回転数を表示する回転数ランプ２７（ＲＥＶＯＬＵＩＯＮ）、回転数の設定条件を含む試験の際の各種試験パラメータの設定条件をまとめてセットとして記憶させたチャンネルの番号を表示するチャンネルランプ２８（ＣＨＡＮＮＥＬ）が配置されている。各チャンネルには、それぞれよく使う試験パラメータのセットが登録されており、チャンネル番号を変更すれば簡単に試験パラメータが変更できるようになっている。
【００２３】
不釣合量ランプ２１、２４、不釣合角度ランプ２２、２５、回転数ランプ２７、チャンネルランプ２８には、多色表示型の７セグメントＬＥＤを用いており、ここでは緑、赤、オレンジの３色を使い分けて表示するようにしている。
また、合否判定ランプ２３、２６には、「ＯＫ」が緑色の単色ＬＥＤ、「ＮＧ」が赤色の単色ＬＥＤを用いている。
【００２４】
次に、上記の動釣合試験機による表示器１８の表示動作について図３に示すフロー図により説明する。
【００２５】
（ｓｔ１０１）
まず、パラメータ設定中であるかかが判断される。これは装置が設定モードであるか測定モードであるかにより判断される。動釣合試験に必要なパラメータをセットするときには、設定モードに切り替えてあることから、設定モードの場合は表示器１８の数値をオレンジ色で表示するようにして現在、設定モードであることが一目で判断できるように表示する。
例えば、動釣合試験機では、回転数や不釣合量や不釣合角度の許容範囲の上限、下限をあらかじめ設定する作業を行うが、設定入力中は数値をオレンジ色で表示する。
一方、設定モードでないとき（すなわち測定モード）は、ｓｔ１０２に進む。
【００２６】
（ｓｔ１０２）
パラメータの設定入力が終了すると、測定モードに切り替えられ、動釣合試験機本体による測定が行われる。やがて測定が終了すると、演算部１４から不釣合量、不釣合角度、合否判定とともに測定時の回転数が出力される。この出力信号には合否結果に応じた表示色の情報も含まれている。
【００２７】
演算部１４の出力結果が、正常な回転数範囲（正常動作）で測定され、かつ、不釣合量、不釣合角度が正常な範囲であって、試験結果が合格であると判断されたときには、多色表示型の７セグメントＬＥＤが用いられた不釣合量ランプ２１、２４、不釣合角度ランプ２２、２５、回転数ランプ２７、チャンネルランプ２８は、緑色で表示される。合否判定ランプ２３、２６は、「ＯＫ」が緑色で表示される。
【００２８】
一方、回転数が正常範囲を外れているか、不釣合量、不釣合角度のいずれかが許容範囲から外れているときは釣合量ランプ２１、２４、不釣合角度ランプ２２、２５、回転数ランプ２７、チャンネルランプ２８は、赤色で表示される。合否判定ランプ２３、２６は、「ＮＧ」が赤色で表示される。
【００２９】
このようにして、試験結果に応じて合否判定ランプ２３、２６が色分け表示されるだけではなく、不釣合量ランプ２１、２４、不釣合角度ランプ２２、２５、回転数ランプ２７、チャンネルランプ２８も試験結果に応じて合否判定ランプ２３と同じように色分け表示するようにしているので、作業者が表示器１８のいずれかに視線を向けるだけで合否判定結果を把握できる。
【００３０】
なお、上記実施形態では、不釣合量、不釣合角度についての合否判定と試験パラメータ（回転数）の正常異常判定とをまとめて扱っているが、これらを分離して不釣合量ランプ２１、２４、不釣合角度ランプ２２、２５と合否判定ランプ２３、２６を同じ色で表示２８し、試験パラメータ（回転数）ランプ２７だけは独立して正常、異常で色分けするようにしてもよい（この場合チャンネルランプも試験パラメータランプの色表示に合わせてもよい）。
【産業上の利用可能性】
【００３１】
本発明によれば、合否判定結果に応じて、合否判定ランプだけではなく、不釣合量ランプ、不釣合角度ランプの表示色も色分け表示するようにしたので、視線を合否判定ランプに向けることなく、一目で合否判定結果が把握できるので、作業者にとって使い勝手がよい動釣合試験機を製作するのに利用することができる。
【図面の簡単な説明】
【００３２】
【図１】本発明の一実施形態である動釣合試験機の全体構成を示す図。
【図２】図１の動釣合試験機の表示器を説明する図。
【図３】動釣合試験機の表示動作を説明するフロー図。
【符号の説明】
【００３３】
１        動釣合試験機
２、３    軸部
４、５    ばね
６、７    軸受け
９        モータ
１０、１１  ピックアップ
１４        演算部
１５        マーク
１６        位置センサ
２１、２４  不釣合量ランプ（多色表示型ＬＥＤ）
２２、２５  不釣合角度ランプ（多色表示型ＬＥＤ）
２３、２６  合否判定ランプ
２７        回転数ランプ（多色表示型ＬＥＤ）
２８        チャンネルランプ（多色表示型ＬＥＤ）
Ｗ        供試体
【図１】
2005091260.tif 000003
【図２】
2005091260.tif 000004
【図３】
2005091260.tif 000005